Podtech/llm-jp-corpus-v4-ja_patent huggingface dataset:
(57)【要約】【課題】  吸引カップ内にローラを取付け、吸引された皮膚をローラにてマッサージすることを目的とする。【解決手段】  開放口３を皮膚に密着させ内部に負圧を導入する吸引カップ２を形成する。この吸引カップ２内に回転可能なローラ９を配する。それから吸引カップに圧力調節のための調節孔７を形成する。この調節孔７に指を添えて閉塞して圧力を調節しながら皮膚を吸引し、ローラ９と共にマッサージを行う。【選択図】        図１
2006141685.tif 000002
【特許請求の範囲】
【請求項１】
開放口を皮膚に密着させ内部に負圧を導入する吸引カップと、
この吸引カップ内に配され、回転可能に設けられたローラと、
前記吸引カップに形成され、指にて圧力調節をする調節孔とを備えたことを特徴とするローラカップ。
【請求項２】
前記ローラは円柱状の部材で、中心支軸を中心にして回転することを特徴とする請求項１記載のローラカップ。
【請求項３】
前記ローラの表面にゲルマニウムを付着せしめていることを特徴とする請求項１又は２記載のローラカップ。
【請求項４】
前記ローラの表面に凹部または凸部を形成したことを特徴とする請求項１，２又は３記載のローラカップ。
【発明の詳細な説明】
【技術分野】
【０００１】
この発明は、ローラで皮下脂肪の塊であるセルライトを揉みほぐすと共にマッサージ効果をも得るローラカップに関する。
【背景技術】
【０００２】
従来の吸引カップは、電動ポンプで発生した負圧を導入し、この負圧を利用して皮膚表面を吸引して、所定の面積の肌を刺激して肌に付着する埃、老廃物の除去や肌の血行を良くし新陳代謝を促すことが行われていた。
【０００３】
また、特許文献１，２にあるように、中心に突起（押圧具）を設けて、吸引されている皮膚表面に刺激を与える発明が提案されている。突起には、磁気を発生させたり、電圧を印加したりしている。これにより、人体のつぼを効率よく刺激せしめている。
【特許文献１】実開平６−４１７２６
【特許文献２】特許第２９５１５６８
【発明の開示】
【発明が解決しようとする課題】
【０００４】
前記した吸引カップにより、肌を吸引する例では、人によりカップの跡がつき３日〜１週間ぐらい取れない不都合も生じていた。また前記特許文献１，２にあっては、人体のつぼを刺激することができるが、前述の不都合も生じていた。また、所定時間静止させて使用することが主であり、マッサージ効果は得られにくかった。
【０００５】
そこで、この発明は、吸引カップを動かすことを主眼とし、該吸引カップ内にローラを取付け、吸引された皮膚をローラにてマッサージすることを目的とする。
【課題を解決するための手段】
【０００６】
この発明に係るローラカップは、開放口を皮膚に密着させ内部に負圧を導入する吸引カップと、この吸引カップ内に配され、回転可能に設けられたローラと、前記吸引カップに形成され、指にて圧力調節をする調節孔とを備えたことにある（請求項１）。これにより、調節孔に当てた指を動かすことで、内部の負圧を個人の肌質状態に合わせる微調節が容易となる。またローラカップを動かすと、吸引されている皮膚がローラにより面的に刺激され、皮下脂肪の塊であるセルライトに直接働きかけ、血行を高めながら、セルライトを分解、排出させ、またローラのマッサージ機能で硬くなった皮下脂肪を揉み解し、引き締め痩身効果を高める。
【０００７】
前記ローラは円柱状の部材で中心支軸を中心にして回転することにある（請求項２）。また表面にゲルマニウムを付着させ（請求項３）、肌に良い刺激を与え、また凹部、凸部を設けることで、更にマッサージ効果を高める（請求項４）。
【発明の効果】
【０００８】
以上のように、この発明によれば、ローラカップに形成の調節孔を閉塞する指を適宜に動かすことで、内部の負圧を微調節でき、吸引力を調整できる。またローラカップを動かすことで、皮膚を吸引しながら連続的にローラによるマッサージで刺激を与えることができる。これにより、肌の細胞を活性化し、毛細管、末梢血管の血行を促進できる（請求項１）。
【０００９】
また、ローラが円柱状で、面的で且つ連続的に皮膚を刺激するため、施術者が人体のつぼの位置を正確に知らなくても、該つぼを確実に刺激ができる（請求項１，２）。さらに、ローラの表面にゲルマニウムの付加や、凹部、凸部の形状を持たせることで、よりマッサージ効果を高めることができる（請求項３，４）。
【発明を実施するための最良の形態】
【００１０】
以下、この発明の実施例を図面にもとづいて説明する。
【実施例１】
【００１１】
図１，図２において、この発明に係るローラカップ１が示され、下面が開放口２となる吸引カップ３は、全体が釣鐘形状をなし、頂部に負圧が導入される接続孔４を有し、これにコネクタ５を介してホース６が接続され、該ホース６の端には、図３に示す負圧ポンプＰが接続されている。
【００１２】
この吸引カップ３は、透明のガラス、樹脂にて形成され、その側面に一つの調節孔７を貫通せしめている。この調節孔７の径は親指や中指にて閉塞が可能な寸法であり、指にて調節孔７を閉塞状態を適宜に変更することで内部の負圧を微調整することができる。
【００１３】
また、吸引カップ３内には、横方向にローラ９が配されている。このローラ９は、円柱状で、中心支軸１０を支点として回転される。前記中心支軸１０は、その両端が前記吸引カップ３の側面に形成の一対の取付孔１１，１１に挿入され取付られている。そして、前記ローラ９は、前記吸引カップ３の開放口２より内側に配され、該開放口２より突出していない。このローラ９は、その表面にゲルマニウムが焼き付けられている。さらに、図４に示すように、ローラ９の表面に凸部１３を付するようにすれば、皮膚に対するマッサージ効果を高めることができる。この凸部に代えて凹部を設けても良い。また、ローラ９は洗浄のため、吸引カップから取り外すことが出来るように構成している（図示せず）。
【００１４】
上述の構成において、図３を用いて使用状態を説明すると、負圧ポンプＰからホース６を介して負圧を吸引カップ３内に導入する。そして、皮膚上に載置し密着する。それから、調節孔７に指を近づけ閉塞すると、内部の負圧が高まり皮膚を吸引し、適宜な負圧となると、皮膚がローラ９に当たるようになる。それから、ローラカップ１を動かすと、皮膚を持ち上げ（吸引）ながらローラ９と共にマッサージを行うことができる。即ち、皮下脂肪の塊であるセルライトに直接働きかけ、血行を高めながら、セルライトを分解、排出させ、引き締め痩身効果を高めることができる。
【図面の簡単な説明】
【００１５】
【図１】この発明の実施例を示す正面図である。
【図２】同上の断面図である。
【図３】同上の使用状態の説明図である。
【図４】ローラの他の例を示す斜視図である。
【符号の説明】
【００１６】
１  ローラカップ
２  開放口
３  吸引カップ
６  ホース
７  調節孔
９  ローラ
１１  取付孔
１３  凸部
【図１】
2006141685.tif 000003
【図２】
2006141685.tif 000004
【図３】
2006141685.tif 000005
【図４】
2006141685.tif 000006
(57)【要約】      （修正有）【課題】整腸作用の他に、腸内に発生しうる悪臭要因を抑制する成分を含むヨーグルトの提供。【解決手段】整腸作用と悪臭要因を抑制する成分をマッシュルームより抽出し、ヨーグルトと混合した製品にする事により、異った目的を同時に満足することが出来るヨーグルト又は飲料を得る。【選択図】なし【特許請求の範囲】
【請求項１】
各種ヨーグルトにマッシュルームきのこより抽出した消臭成分を注入した製品である
【請求項２】
整腸作用を目的としたヨーグルトにマッシュルームきのこより腸内悪臭要因抑制効果成分を混合させた食品及び飲料である
【発明の詳細な説明】
【技術分野】
【０００１】本発明は本来整腸作用を目的としたヨーグルトの中にマッシュルームきのこから抽出された消臭成分を注入した食品又は飲料
【背景技術】
【０００２】整腸作用を目的とした色々な味付けのされたヨーグルトが開発されて居りますがあくまで整腸作用が目的である、又動物などの排泄物の悪臭を腸内より消臭する事を目的にした食品や飲料が開発されているが消臭作用が目的であり、これらはまったく別の目的で開発製造販売されていねものである
【発明の開示】
【０００３】整腸作用を目的とした各種ヨーグルトと動物等の排泄物の悪臭を抑制する働きのある消臭成分をマッシュルームきのこより抽出した、液状又は顆粒状に成っている製品を合わせる事により整腸作用と排泄物悪臭抑制効果を同時に得られる
食品及び飲料とする事により容器の節減及び利用者の摂取回数を減らしコストの節減につながる製品である
(57)【要約】【課題】  蔗糖の搾汁に手を加えることなく自然の成分を活かした風味ある糖蜜液を製造する。【解決手段】蔗糖の搾汁を固化させることなく濃縮すること。従来の製法では蔗糖の搾汁に清澄剤としてソーダ灰、石灰などを加えてミネラル分、遊離酸、蛋白質、ペクチン、色素、ガム質、繊維などを不純物として除去するが、これらを除去することなく、１３０℃以下の低温側の温度域で加熱処理すると濃縮された液は冷却しても固化しないことを利用する。【特許請求の範囲】
【請求項１】
蔗糖の搾り汁を１００〜１２０℃の温度下で煮詰めることを特徴とした糖蜜の製法とその物質。
【発明の詳細な説明】
【技術分野】
【０００１】本発明は、蔗糖の搾汁に含まれるミネラル分、遊離酸、蛋白質、ペクチン、色素、ガム質、繊維などの不純物を除去せず自然の成分を活かした風味ある健康食品を提供することにある。
【背景技術】
【０００２】砂糖は天然の植物に含まれる蔗糖を取り出した製品である。取り出したままの蔗糖は液状であるため、取り扱い易さや保存上の関係から固体として通常用いられている。製法は蔗糖の搾汁に清澄剤としてソーダ灰、石灰などを加え、通常１３０℃の温度で行われる。但し、蔗糖の搾汁に含まれるミネラル分、遊離酸、蛋白質、ペクチン、色素、ガム質、繊維などの不純物は砂糖結晶体を析出させる上での阻害要因となるため事前に除去されている。この固体を取り出す精製の工程（砂糖の結晶を取り出す工程）では液相（甘蔗の搾汁の状態を出発原料として）→固相→液相→固相と繰り返されることになる。これらの操作は煎糖と呼ばれ、煎糖によって得られた蔗糖の結晶と液体の混合物を白下と呼んでいる。この白下から結晶を分離したものが分密糖で、精製度合の違いでグラニュー糖や上白糖として知られる一方、残りの糖蜜・含糖蜜は不純物を除いて煮詰められたものを撹拌しながら放冷して固化させ、黒砂糖とか和三盆のような商品となっている。
【発明の開示】
【発明が解決しようとする課題】
【０００３】天然特有の風味やまろやかな糖蜜とするために品質を損なう加工工程を少なくし、加熱などの処理条件を緩やかにすることが重要である。すなわち精製工程の少ない液相→濃縮の工程のみとすることでこれまでにない風味を保った製品とする。
【課題を解決するための手段】
【０００４】従来法では蔗糖の搾汁に清澄剤・ソーダ灰、石灰などを加えて行なう加熱、濃縮操作では１３０℃で行われるが、これは含糖蜜が冷却後、固化するための必要な条件ともなっている。本発明では固化の起こらない温度条件・１００〜１２０℃を利用することで本発明の課題を克服する。
【発明の効果】
【０００５】砂糖キビが有する栄養価を最大限に活かす製法により、従来品の砂糖密や砂糖などよりも風味や栄養価に富む甘味料が提供できる。
【発明を実施するための最良の形態】
【０００６】製品の形態は水分を十分蒸発させ雑菌による変質がない濃縮液とする。【０００７】出発原料としては蔗糖の搾汁を用いる。ただし、この搾汁に含まれるミネラル分、遊離酸、蛋白質、ペクチン、色素、ガム質、繊維などの不純物の除去は行なわず、自然のままを利用する。【０００８】反応条件となる加熱温度は清澄剤を加えた場合１２０℃以下、好ましくは１１０℃が最適である。この温度で濃縮することにより、固化の起こらないまろやかで、風味のある製品とすることが出来る。濃縮時間は常温下や、減圧下により若干異なるが、通常は２〜３時間でよい。ただし、濃縮操作では出発原料の搾汁の水分の多い状態では水の沸点、すなわち１００℃以内に保たれるが、濃縮が一定以上進むと溶液温度は急上昇しやすいので温度管理には注意を要する。
【実施例】
【０００９】蔗糖の搾汁  １  ｋｇに石灰  ０．０１  ｋｇを常温の状態で加え、この混合液を緩やかに撹拌しながら加温を開始する。この混合液に含まれる水分が蒸発して濃縮が一定以上進むと溶液温度は急上昇し始めるので、溶液温度が１２０℃以上にならぬよう、好ましくは１１０℃に達した時点で加熱を止めて室温まで撹拌を続けて放冷する。反応開始から反応終了まで、約２時間半を要して、糖蜜液約０．１ｋｇを得た。
【産業上の利用可能性】食品産業において栄養価の高い甘味料、あるいは調味料として利用できる。
(57)【要約】【課題】栽培する袋を地上に置き、袋の中で栽培する作物に適合する培養土と肥料を入れて、作物や花等を栽培することができる植物袋栽培具を提供することを目的とする。【解決の手段】通気性と吸排水性がある材質を用いた袋を地上に置き、その袋の中に栽培作物に適合する培養土と肥料を入れ、袋の上開口部を紐で緊縛して、残した部分に作物や草花等が栽培できるようにする植物袋栽培具とした。【選択図】  図１
2006141375.tif 000002
【特許請求の範囲】
【請求項１】
底部材を有し上開口部に向けって狭まった形状の側面部よりなり作物や草花などを栽培する培養土を収納する袋と、袋開口部に設けられた開口部緊縛手段と、側面部に設けられた複数の支柱ホルダーとよりなる植物袋栽培具。
【発明の詳細な説明】
【技術分野】
【０００１】  本発明は、袋の中に培養土を入れ、そこに作物や草花等の植物の種を播いたり、苗を植え付けて、栽培できるようにした植物袋栽培具に関するものである。
【背景技術】
【０００２】  従来の植物栽培は畑などの地中で栽培したり、栽培に必要な肥料成分を水で溶かして行う水耕栽培方式があるが、栽培土を袋に入れてそこに種を播いたり、苗を植えたりし、その袋を地上に置いて栽培する方法は見当たらない。
【発明の開示】
【発明が解決しようとする課題】
【０００３】  上記のように、従来は培養土を袋に入れて地上で植物を栽培する方法が行なわれていなかっため、次のような問題点があった。
（イ）畑や花壇など植物を栽培する土地がない場合には栽培ができなかった。
（ロ）鉢栽培以外は、地上で作物や花などを栽培する方法の実績がなかった。
本発明は、これらの問題点を解決するためになされたものである。
【課題を解決するための手段】
【０００４】  袋を地上に置いて、作物や草花等を栽培できるようにするために、本具は次のような構成とした。
（１）通気性と吸排水性が良く、培養土を入れても破れない丈夫な布等を材料に用いた袋を構成する。
（２）種まきや苗植えに必要な空間部分を残して袋上部を締められる紐が通せる穴溝部を設ける。。
（３）培養土を入れた袋を地面に固定することができるようにするため、袋の表面に数箇の支柱ホルダーを設ける。
【発明の効果】
【０００５】  本発明の特徴は、培養土を入れた袋を地中に埋めることなく、地上において栽培することができるようにしたため、畑や花壇のような栽培に必要な土地がない一般家庭でも、庭先や屋上など幅広い場所での栽培が可能となる。【０００６】  本発明品の袋の形状を変えたり、栽培する作物や草花等に合わせて、袋の材質をそれに適合するようなものを使用すれば、多種多様な作物や草花等の栽培が可能になる。【０００７】  袋が可燃性の材質であので、栽培が終了した後は必要に応じて燃えるゴミとして処理ができるため、環境にやさしい栽培法であるといえる。【０００８】  支柱ホルダーに支柱を差し込み、その先端を地面に埋めれば袋を地面に安定して固定することができる。また、支柱の形状が半円形のものなどを使用すれば、その上にビニール袋などを被せて栽培物の雨避けができる。【０００９】  栽培中の水の補給は袋の上から適量を散水するだけで済むうえ、袋上部が栽培物の大きさだけ残して緊縛してあるので、栽培中に雑草が生えなくなるので栽培管理作業が大変楽くになる。
【発明を実施するための最良の形態】
【００１０】  本発明の実施の形態について図１及び図２を用いて説明する。
（イ）通気性と吸排水性の良い不織布などの材質を用いた袋（１）を設ける。
（ロ）袋の上開口部（９）に緊縛するための紐通し穴（２）を設け、穴に紐（３）を通す。
（ハ）袋側面部（１０）に支柱を通す数個の支柱ホルダー（４）を設ける
本発明は以上のような構成で、これを使用するときには、栽培する作物や草花等（７）に合わせて袋（１）の材質及びその大きさを決める。次に、栽培する場所を定め、そこに袋（１）を置いて袋の中に栽培に必要な培養土（６）と肥料を入れる。更に、袋（１）の上部に設けられた紐通し穴（２）に通された紐（３）を緊縛して袋（１）の上開口部（９）を締め、上開口部（９）の大きさをを作物の栽培に必要な面積に固定する。
袋（１）の上開口部の空間ができたところに栽培する種を播いたり、苗を植え付ける。最後に、培養土（６）や肥料を入れた袋（１）を固定するために設けた数箇の支柱ホルダー（４）の支柱通し穴（５）に支柱（８）を通し、その先端を地面に埋めて袋（１）を固定させる。
その後の潅水をはじめとする栽培管理作業は、従来からの路地栽培と同じようにする。
【図面の簡単な説明】
【００１１】
【図１】本発明の全体を示す斜視図
【図２】本発明の使用状況を示す斜視図
【符号の説明】
【００１２】  １．袋
２．紐通し穴
３．袋開口部締め紐
４．支柱ホルダー
５．支柱通し穴
６．培養土
７．栽培作物
８．支柱
９．上開口部
１０．袋側面
【図１】
2006141375.tif 000003
【図２】
2006141375.tif 000004
(57)【要約】      （修正有）【課題】海藻中に存在する有毒重金属類を除去してカドニウム０．０１ｍｇ／Ｌ．  ヒ素０．０５ｍｇ／Ｌ以下にし、表示する。【解決手段】カーボン粉末および炭酸ナトリウムの混合水で海藻を処理して有害重金属類を水溶化し、清水・流水にて洗い流す。処理終了海藻は重金属処理済みを表示する。【効果】消費者に対して安全な海藻を差別化表示して供給できる。【選択図】なし【特許請求の範囲】
【請求項１】
日本国の食品添加物規格基準（適）に準ずる海藻検体におけるヒ素・カドニウム等の除去方法と重金属処理済みの表示。
【請求項２】
科学的検出限界以下、とする、海藻検体・ドリンク等のヒ素・カドニウム等の検出限界除去方法と日本国の規格基準検出限界以下とする海藻検体・ドリンク等のヒ素・カドニウム等の重金属処理済みの表示。
【発明の詳細な説明】
【発明の詳細な説明】
【産業上の利用分野】
【０００１】  この発明は、海藻、自然界生育及び養殖等による海水中における元素の濃縮によるヒ素・カドニウム・ストロンチューム等、物質のヒト食品安全適用外元素物質の除去を目的として安全な食品とする事を目的とする。
【背景技術】
【０００２】  人の健康の保護に関する環境基準、及び、水道水の水質基準等ではカドニウム０．０１ｍｇ／Ｌ．  ヒ素  ０．０５ｍｇ／Ｌ  以下と定められています。  しかし日本を始めとする国にての飲料水中の特にヒ素を処理する方法は確立されておらず、政府からの援助を受けた企業・大学で、ヒ素の吸着材が開発されていますが、まだ試験段階で実用化に至っていないのが現状です。一般の方法として逆浸透膜・イオン交換方法等が挙げられますが、いずれも高価で実際には食品海藻検体／食品清涼飲料水に適さず、ヒ素・カドニウム等の処理はほとんど行われていません。
【発明が解決しようとする課題】
【０００３】  海藻の元素、特にヒ素Ａｓは海藻中に高濃度に存在する有毒元素として食品衛生学的に重大な問題である。海藻のヒ素含量は、昆布層では陸上植物の２００〜５００倍に達する。日本産の褐藻（湿重量平均１ｇ当たり）コンブ／９２．２μｇ  ワカメ／４１．３μｇ  ヒジキ／１３８．２μｇ  マツモ／３３．５μｇ  であり、この海藻を常時、食べ続ける日本人の健康に重大な影響を与へ続けている。
人の健康に、より安全で、より低コストにおける、カドニウム０．０１ｍｇ／Ｌ．  ヒ素０．０５ｍｇ／Ｌ以下にし、安全食とした海藻食材／海藻清涼飲料水の供給を目的とする。
【課題を解決するための手段】
【０００４】
【請求項１について】
日本国の規格基準に準ずる海藻検体におけるヒ素・カドニウム等の除去法：  カーボン粉末および炭酸ナトリウム（Ｗ／Ｗ％  Ｎａ２ＣＯ３１０ｇ／水  ５００ｇ）の混合水に海藻検体を一昼夜振とうさせ、海藻元素物質であるナトリウム塩としてカドニウムを、カルボキシルのヒ素塩基とし水溶化し海藻検体の塩基類を清水・流水にて洗い流す。
【請求項２について】
科学的検出限界以下、海藻検体・のヒ素・カドニウム等、検出限界除去法：  １：作業工程の初期段階は
【１】に準ずる。  ２：海藻検体をクエン酸を衝撃材として加熱ボイル等により海藻検体物質である糖鎖類物質の低分子化とする。結果アルギン酸はＤ−マンヌロン酸およびＬ−グルロン酸のウロン酸となり、ポリウロニドのカルボキシル基のＬ−グルロン酸Ｇブロックにストロンチュームおよびカドニウムと結合させる。ヒ素は非イオンを示すが炭素との結合に優れている。  ３：（１）（２）にてえられた海藻検体のエキスを濾過し、沈殿法により不純物を除去する。４：（３）にて、えられたエキスを再度、活性炭／カーボンファイバー等の炭素（Ｃ）型の濾過材にて２〜３回濾過し終了する。
【作用】
【０００５】  本来、海水ミネラルを濃縮し生態系を維持している、ヒジキ・昆布・ワカメ・海苔等の海藻の自然ミネラルの一部である、ヒ素・カドニウム・ストロンチューム等のみを除去し、国の定める食品・食品添加物等規格基準を満たす海藻食品物である。
【実施例】
【０００６】以下、本発明の実施の根拠を説明する。
海藻、元素の基本的な分布として、藻体内では塩化物、または、硫酸塩が存在し細胞内の生理的機能に関与している。カルシューム、ヒ素等はカルボキシル基などと塩の形成が多く見られグルロン酸の画分は特にＳｒ，Ｃｄとよく結合する性質を持っている。
【請求項１】
についての説明。
（１）日本国の食品添加物規格基準に準ずる海藻検体におけるヒ素・カドニウム等の除去方法：
１：  カーボン粉末および炭酸ナトリウム（Ｗ／Ｗ％  Ｎａ２ＣＯ３１０ｇ／水  ５００ｇ）の混合水に海藻検体を一昼夜振とうさせ、海藻検体物質であるナトリウム塩としてカドニウムを、カルボキシルのヒ素塩基とし水溶化し海藻検体の塩基類を清水・流水にて洗い流す。
２：  処理終了海藻原体は冷凍、乾燥、ゲル、調理済みモズク等、これまでの海藻食品として、（食品添加物規格基準，重金属処理済みの表示）し消費者へ供給する。
【請求項２】
についての説明。
科学的検出限界以下とする海藻検体・ドリンク等のヒ素・カドニウム等の検出限界，除去法：
１：作業工程の初期段階は
【１】に準ずる。  ２：海藻検体をクエン酸を衝撃材として加熱ボイル等により海藻検体物質である糖鎖類物質の低分子化とする。  ３：  結果アルギン酸はＤ−マンヌロン酸およびＬ−グルロン酸のウロン酸となり、ポリウロニドのカルボキシル基のＬ−グルロン酸Ｇブロックにストロンチュームおよびカドニウムと結合させる。ヒ素は非イオンを示すが炭素との結合に優れている。  ４：（１）（２）にて、えられた海藻検体のエキスを濾過し、沈殿法により不純物を除去する。５：  （３）にて、えられたエキスを再度、活性炭／カーボンファイバー等の炭素（Ｃ）型の濾過材にて２〜３回濾過し終了する。  ６：  処理終了海藻原体は、ゲル、調理済みモズク等、清涼飲料水、健康ドリンク等、これまでの海藻食品として、（海藻検体・ドリンク等のヒ素・カドニウム等の日本国の食品添加物規格基準、検出限界の重金属処理済み）の表示することを特徴とする。
本発明は、以上のような製法処理によって（証明書：１／２）の結果を得ることができる。
【発明の効果】
【０００７】  海藻の元素、特にヒ素Ａｓは海藻中に高濃度に存在する有毒元素として食品偉生学的に重大な問題である。海藻のヒ素含量は、褐藻類では陸上植物の２００〜５００倍に達する。日本産の褐藻（湿重量平均１ｇ当たり）  コンブ／９２．２μｇ  ワカメ／４１．３μｇ  ヒジキ／１３８．２μｇ  マツモ／３３．５μｇ  であり、この海藻を常時、食べ続ける日本人の健康に重大な影響を与へ続けている。  人の健康に、より安全で、より低コストにおける、カドニウム０．０１ｍｇ／Ｌ．  ヒ素０．０５ｍｇ／Ｌ以下にし、日本国の食品添加物規格基準。（適）または（検出限界以下）、重金属処理済みを表示し、消費者へ安全のための差別表示供給とする。
(57)【要約】【課題】  従来、園芸業や林業は大変労力を要する仕事であり、その要因のひとつに、剪定伐採した枝の始末があった。枝は弾力性に富み、圧縮させながら束ねる作業は、大きな腕力を要する。この装置の発明は、力仕事の軽減に加え、移動の便利・収納の便利さ等を多面的に考案し、しかも製作コストを抑えて安価提供ができる道具に仕上げることを目的としている。【解決手段】  上記の問題を解決すべく、園芸樹木や果樹の枝等の難結束物を本体に置き、テコの原理を利用してアームで圧縮する。その圧縮状態を保つために、スプリングと「戻止爪」を施したラチェット式の当作業機にて加圧して、一時的に枝の広がりを押さえ、結束の作業が終わるとペダルによって「戻止爪」は容易に外され、結束物を装置から取り出すことができる。これは利用価値の高い装置となる。【選択図】  図５
2006141373.tif 000002
【特許請求の範囲】
【請求項１】
樹木、伐採、植木および果樹の剪定あるいは農作物を、テコを応用してアームで圧縮して結束する圧縮結束装置である。
【請求項２】
圧縮した際に圧縮された小枝等の還元力を押え、元に戻らないようにし、更に圧縮を強める時に、抵抗なく加圧が出来る。スプリングを併用したアームの爪に工夫がある。
【請求項３】
結束した排出小枝の束を圧縮から開放して本体から取り外す時には、アームで圧縮する時と同じように力を入れながらペダルを踏むことによって爪が外れる仕組みになっている。
【請求項４】
小枝や木の葉がこぼれ落ちないように、また枝を縛る時にその枝が束からはみ出さずに束ねられるように、金属等の平板ボードを使用することを特徴とする。
【請求項５】
アームをピンでロックする事により、本体を９０°横に寝かせて車輪を使用し、どんな狭い所でも、容易に楽に移動出来る事を特徴とする圧縮結束装置である。
【請求項６】
本発明は一般家庭から業者まで幅広く使用出来る事を目的にして、部材及び本体の大小はもちろん、本体の材質も鉄、アルミ、ステンレス、強化合成樹脂等で製造するものとする。
【請求項７】
アームについては収納しやすくするため、折りたたみ式、又は伸縮自在にする事も可能とする。
【発明の詳細な説明】
【発明の詳細な説明】
【発明の属する主な分野】
【０００１】  本発明は、農業林業等の広い分野において、樹木の剪定あるいは伐採の際に排出される枝や、稲・麦・わら・蘭草等の農作物の収穫時に、作物を便利に、効率的に結束をする装置である。
【従来の手段】
【０００２】  従来、樹木の剪定や山林の樹木の伐採などにより排出される枝類の処理は、人の手で行うしか方法がなかった。そして、木の枝を縛る時にその枝の広がる勢いは大変強く、人の手によって縛るには非常に大きな力が必要であった。また、はみ出した枝を縛る作業で、大きなけがではないが、その枝先で腕や手首に傷を負うことも時々起きることであった。
その排出物の処理は、作業が林や森の樹間の作業になることから大きな道具も入れられず、トラックなどの運搬方法が便利になった現状でもその作業現場まで車が入らず、結局ほとんどの作業が人の手に頼らざるを得なかったのである。
【発明が解決しようとする課題】
【０００３】  従来、園芸業や林業は大変労力を要する仕事であり、身体堅強な男性の仕事とされてきたが、その要因のひとつに、剪定伐採した枝の始末があった。枝はあまり大きな枝でなくても弾力性に富み、圧縮させながら束ねる作業は、大きな腕力を要する作業であった。
この装置の発明は、力仕事の軽減に加え、移動の便利・収納の便利さ等を多面的に考案し、しかも製作コストを抑えて安価提供ができる道具に仕上がることが目的となる。このような観点から、この装置を考案していった。
【課題を解決するための手段】
【０００４】  上記の問題を解決するために、当作業機を発案した。本発明は、上記の問題を解決すべく、次の構成を有する請求項の発明に関わる、園芸樹木や果樹の枝等の難結束物を本体の記号Ｂの間に置き、テコの原理を利用してアームで圧縮する。その圧縮状態を保つために、スプリングと「戻止爪」を施したラチェット式の当作業機にて加圧して、一時枝の広がりを押さえて枝を固定する。加圧された枝の結束の作業が終わると、記号Ｆのペダルによって「戻止爪」は容易に外れ、結束物を作業機から取り出すことができるのである。
【発明を実施するための最良の形態】
【０００５】  発明実施の形態として、本機械の図面を参照にして説明する。まず、前述の通り、この機械の一番の便利さは、人力をはるかに超えた力で圧縮して、木の枝を束ねる事である。
Ｃのアーム部分は、この装置の移動時のハンドルとして握る部分になるが、枝を束ねる作業に入ると、テコの原理を用いて容易に枝を圧縮し、それは、非力な労働者にも難しい仕事ではなくなる。【０００６】  集められた枝は弾力性に富んでおり、圧縮された後、収縮状態を保つ必要が生じる。その方法としてスプリングを利用したＥ「戻止爪」を考案した。この「戻止爪」は、手法によって枝を束ねた後、Ｆの足踏みのペダルによって外されて一束の出来上がりとなる。【０００７】  本装置の有難さは、その機械の移動と収納に便利なことにもある。まず運搬には、一輪車と同じようにＤの一個の車輪が付いており、狭い所へも自由自在に移動できるし、また束ねた結束物を、他所へ運搬するにも役立つ。そしてアーム部分を折りたたむことによって、あるいは長さを調節して、収納時にはコンパクトになり収納し易くなる便利さがある。
【発明の効果】
【０００８】  樹木の剪定から排出される多くの小枝は、野焼き禁止条例のために、指定された場所に移動せざるを得ないが、収縮して嵩張りが半分以下になるために、一度に大量の結束物を運搬することができ、積載運搬に大きな効果がある。また、その保管場所においても、スペースを節減して整然と保存することが可能になる。
当作業機のさらなる特徴は、製造コストが安価であることにある。小型にして振動効果の良い安価な製品が、造園業・林業・農業の従事者に歓迎されるものである。
【図面の簡単な説明】
【０００９】
【図１】  申請した手動圧縮結束装置の一部断面のフレーム形体図である。
【図２】  図１の本体を９０°横にし移動時に行う形態を表した図である。
【図３】  申請した手動圧縮結束装置の外観斜視図である。
【図４】  枝の圧縮作業の圧縮前の状態を示す外観斜視図である。
【図５】  アームで枝を圧縮した状態を示す外観斜視図である。
【図６】  アームで枝を圧縮した状態から、縄で結束した様子の外観斜視図である。
【図７】  結束した枝を手動圧縮結束装置から外した枝の束の外観斜視図である。
【符号の説明】
【００１０】  Ａ  本体フレーム
Ｂ  Ｕ形ボード
Ｃ  アーム
Ｄ  タイヤ
Ｅ  戻止爪
Ｆ  ペダル
Ｇ  スプリング
Ｈ  ロックピン
【図１】
2006141373.tif 000003
【図２】
2006141373.tif 000004
【図３】
2006141373.tif 000005
【図４】
2006141373.tif 000006
【図５】
2006141373.tif 000007
【図６】
2006141373.tif 000008
【図７】
2006141373.tif 000009
(57)【要約】      （修正有）【課題】花の損傷を防ぎ、多量に箱詰めできるようにして、箱代や運賃を押さえる箱詰方法を提供する。【解決手段】エビデンドラムの花が咲く前に、セロハン、ビニール類、紙類で作ったキャップを茎に着けておくか、貼り合わせて着けておいて花を窄めて保護するので大量に切花、鉢花共、箱詰出荷出来る。【選択図】図１
2006141390.tif 000002
【特許請求の範囲】
【請求項１】
エビデンドラムの開花前の茎に、セロハン、ビニール類、紙類等で作ったキャップを着けておいて開花してから花に被せて花弁を窄めて保護し、切花亦は鉢花等で市場等に出荷する方法である。
【発明の詳細な説明】
【技術分野】
【０００１】  此の発明は、エビデンドラムの開花前の茎に、セロハン、ビニール類、紙類等で作ったキャップを着けておいて、開花してから花に被せて花弁を窄めて保護し切花亦は鉢花等で市場等に出荷する方法である。
〔背景技術〕【０００２】▲１▼花を保護せずそのまゝ箱詰して出荷していた。
▲２▼箱詰する時花首に枕をして花の損傷を防いだ。
▲３▼花と葉との間でキャップを作り、花に被せて保護した。
（▲３▼は本発明者の考案で特許申請中）
〔発明開示〕
〔発明が解決しようとする課題〕【０００３】  これはつぎのような問題点があった。
▲１▼花の損傷が大であった。
▲２▼箱に少量（２０本最高）程度しか入らず箱代や運賃が高くつく。
▲３▼キャップを着けるのに本発明より手間がかかる
本発明は、以上の欠点をなくするためになされたものである。
〔課題を解しようとする手段〕【０００４】  エビデンドラムは葉が大きく硬いのでガーベラのように茎の本から入れることが困難なので、開花前の茎にキャップを着けておいて開花してから花に被せて花弁を窄めて保護した。
以上のような構成によるエビデンドラムの出荷方法である。
〔発明の効果〕【０００５】荷造出荷が困難で栽培が少かったエビデンドラムの花が本発明によって大面積の栽培が出来る。
〔発明を実施しようとする最良の形態〕【０００６】以下本発明の実施について説明する
開花前の茎に既成のキャップを着けておくか、貼り合せて着けておいて開花してから花に被せて花弁を窄めて保護する。
店頭などにおく時はキャップをはづして水上げすると窄んだ花が元通りになる。
【図面の簡単な説明】
【０００７】〔図１〕本発明のエビデンドラムの開花前の茎にキャップをつけた図である
〔図２〕本発明のエビデンドラムの開花してから花にキャップを被せて花弁を窄めて花を保護した図である。
【図１】
2006141390.tif 000003
【図２】
2006141390.tif 000004
(57)【要約】【課題】  フジツボ等の貝類及び藻類等の船舶の付着により海水抵抗が増すために燃料消費が増加したり、また海洋で使用される各種機材及び魚網等への開の付着により機能低下を起こしている。貝類の付着防止を目的とした安全性が高い添加液を提供する。【解決手段】  殺菌力を持った天然植物等より抽出した液（パインオイル、トールオイル、オリーブオイル、ニームオイル、カスターオイル等）を数種組合わせ配合した添加液を作成した。本発明の添加液を船底塗料等に混ぜて使用すると、フジツボ等の貝類、藻類の付着を防止することができる。しかも安全性が高く海洋汚染等の問題がない。【特許請求の範囲】
【請求項１】
植物抽出油（パインオイル、トールオイル、オリーブオイル、二ームオイル、カスターオイル等）の組合わせ配合した貝類付着阻害能力の大きい添加液。
【発明の詳細な説明】
【技術分野】
【０００１】  本発明は、船舶の船底・養殖用魚網・ロープへの貝類付着防止に関するものである。
【背景技術】
【０００２】  船舶の船底部の貝類の付着によって、海水抵抗が増す為に燃料消費が増加したり、また海洋で使用される各種機材への貝の付着による機能低下を起こしている（例えば、特許文献１参照。）。このために一定期間毎にドック入りし、または操業を停止して付着物を除去しなければならない。従来より有機スズ化合物等の金属化合物を含有する塗料等が使用されていました。これは、毒性が強く海洋汚染が問題となり、使用が禁止されつつありります（例えば、特許文献２参照。）。この代替のため亜酸化銅入り、農薬入り、摩擦係数を変える塗料（シリコン）、海水の電気分解を利用した電解防汚等ある。
【特許文献１】特開平５−４９０３号公報（第２頁）
【特許文献２】特開平５−２８６８２０号公報（第２頁）
【発明の開示】
【発明が解決しようとする課題】
【０００３】  有機化合物は、毒性が強く海洋汚染が問題となっている。またこれの代替品は、どれも数ケ月しか持続しません。
【課題を解決するための手段】
【０００４】  上記課題を解決するために研究開発をした天然植物等より抽出した液を数種組合わせ配合した添加液である。天然植物等とは、殺菌力を持ったパインオイル、トールオイル、オリーブオイル、ニームオイル、カスターオイルである。船底塗料に混合して、船底・棧橋等に塗布するだけ貝類（フジツボ等）・藻類の発生及び付着を抑えます。また、一年間以上という長期間の持続力で、海洋・水産従事者の悩みの種であるフジツボ等が船底、棧橋、養殖網、定置網等に発生・付着する被害を低減させます。本発明の添加液は、自然界のものより出来ており安全性が高く、海洋汚染の心配が少ない。
【発明の効果】
【０００５】  フジツボの卵が孵化したあと、幼生は外界し、すでに定着しているフジツボに呼び奇せられ成長します。フジツボ同士で誘引し合います。添加液の活性成分が、誘引フェロモンをマスクし、新たなフジツボを呼び寄せません。どの精油が持つ活性成分が働いているか詳細はよく解っていない。各種製油の組合わせ配合が重要である。
【実施例】
【０００６】  船底塗料と天然植物抽出油であるパインオイル、トールオイル、オリーブオイル、ニームオイル、カスターオイル（配合比率は、別紙図表に示す）の添加液を船底塗料の重量比８％を混合し、よく攪拌したものをニチエス社製ＦＲＰポールに下部端から上部方向に向けて全面に、均一にペンキ用ブラシにて塗布したものを２本用意をした。また、比較測定用に塗布していない同一社製ポール２本も用意をした。これらポールを海面に対して垂直になるように設置。設置中当該ポールは、満潮時約４００ｃｍが海中に没し、また干潮時１００ｃｍが海中に没するようにした。実験開始日より１ケ月毎に実験対象ポール及び比較対象ポールを同時に引き上げ、目視によりフジツボ等の付着の有無を確認した。【０００７】  上記の方法で第１回目を福岡県大牟田市沖約３００ｍにて２００２年３月１５日より２００２年９月１５日まで実施。第２回目を福岡県柳川市沖約２０００ｍにて２００２年１０月１５日より２００３年９月１５日まで実施。【０００８】  添加液を塗布した実験対象ポールには、実験期間中の各引き上げ日及び終了直後時、双方において、フジツボ等の付着は一切確認できなかった。比較測定用ポールには、実験開始後第１回目の引き上げ時（２００２年４月１５日）に最初のフジツボ付着を確認から２００２年９月１５日までの６回の検査に於いて、別紙の通り記載表示します。また第２回目の２００２年１０月１５日より２００３年９月１５日までの８回の目視結果を別紙の通り記載表示します。【０００９】
【表１】
2006141385.tif 000002
【００１０】
【表２】
2006141385.tif 000003
【００１１】
【表３】
2006141385.tif 000004
【００１２】
【表４】
2006141385.tif 000005
【００１３】
【表５】
2006141385.tif 000006
(57)【要約】【課題】  引っ掛けボードに整理整頓機能を持たせることで、ルアーの整理整頓を容易にして整理整頓された状態を維持することができるようにすることである。【解決手段】  引っ掛けボード２に複数の引っ掛けポイント６を適宜間隔に設け、ケース本体１に装着したことを特徴とする。【選択図】  図１
2006141386.tif 000002
【特許請求の範囲】
【請求項１】
引っ掛けポイントを適宜間隔に設けた引っ掛けボードをケース本体に装着したことを特徴とする釣り用ルアーケース。
【請求項２】
前記引っ掛けボードに穴状の引っ掛けポイントを適宜間隔に設けたことを特徴とする請求項１記載の釣り用ルアーケース。
【請求項３】
前記引っ掛けボードの形態を波状にし、その傾斜部に穴状の引っ掛けポイントを設けたことを特徴とする請求項２記載の釣り用ルアーケース。
【発明の詳細な説明】
【技術分野】
【０００１】  本発明は、釣り用ルアーを整理整頓した状態で収納することができ、整理整頓した状態を維持することができるケースに関する。
【背景技術】
【０００２】  従来の釣り用ルアーケースは様々な外観デザイン及び、サイズの製品が生産され販売されている。しかしながら、それらは図５に示すようにケース本体の内部にルアーの釣り針を引っ掛けるための合成樹脂などで作成された柔軟性を有する偏平形状の引っ掛けボードを装着し、同素材の中仕切りを設けただけのものである（例えば、非特許文献１参照。）【０００３】  引っ掛けボードの機能は、ボード一面に釣り針を引っ掛けることができるだけである。例えば、図５に示すように整理整頓された状態に引っ掛けるためには、使用者が意図的に釣り針を引っ掛ける位置を決めてから引っ掛ける必要がある。しかしルアーの出し入れを繰り返すと釣り針を引っ掛けていた位置が変わりやすく、整理整頓された状態が崩れやすいのが現状である。整理整頓された状態は使用者が毎回、意図的に釣り針を引っ掛ける位置を決めてから引っ掛けた場合のみであり、引っ掛けボードが整理整頓機能及び、整理整頓された状態を維持する機能を有している訳ではない。【０００４】
【非特許文献１】  ｈｔｔｐ：／／ｗｗｗ．ｆｏｒｅｓｔｊｐ．ｃｏｍ／ｃａｔａｌｏｇ１２−４．ｈｔｍ．
【発明の開示】
【発明が解決しようとする課題】
【０００５】  上述の如く、従来技術による釣り用ルアーケースは、引っ掛けボード一面に釣り針を引っ掛けることができるため、整理整頓された状態にするには使用者が意図的に釣り針を引っ掛ける位置を決めてから引っ掛ける必要がある。【０００６】  また、従来技術による釣り用ルアーケースの引っ掛けボードには、釣り針を引っ掛ける位置を示す物がないため、ルアーの出し入れを繰り返すと釣り針を引っ掛けていた位置が変わり、整理整頓された状態が崩れやすい。【０００７】  本発明は、このような点に鑑みて成されたものであり、その目的は、引っ掛けボードに整理整頓機能を持たせることで、ルアーの整理整頓を容易にして整理整頓された状態を維持することができるようにすることである。
【課題を解決するための手段】
【０００８】  上述の目的を達成する本発明の釣り用ルアーケースは、引っ掛けボードに複数の引っ掛けポイントを適宜間隔に設け、ケース本体に装着したことを特徴とする。【０００９】  一例として、前記引っ掛けポイントの形態を穴状にして適宜間隔に設ける。好適には、前記引っ掛けボードの形態を波状にし、その傾斜部に穴状の引っ掛けポイントを設ける。
【発明の効果】
【００１０】  以上説明したように本発明によれば、引っ掛けボードに複数の引っ掛けポイントを設け、引っ掛けポイントに釣り針を引っ掛けることで、使用者が意図的に釣り針を引っ掛ける位置を決める必要がなくなった。【００１１】  さらに、引っ掛けポイントを設けたことで釣り針を引っ掛ける位置が限定され、毎回同じ位置に引っ掛けることが可能となったため容易に整理整頓された状態にすることができるようになった。【００１２】  また、ルアーの出し入れを繰り返しても毎回同じ位置に引っ掛けることが可能となったため、整理整頓された状態を維持することもできるものとなった。
【発明を実施するための最良の形態】
【００１３】  以下、本発明の実施の形態を図面に基づき詳細に説明する。【００１４】  図１、図２は本発明の第１の実施の形態に係わり、図１はその斜視図、図２は図１記載の引っ掛けボードのフックポイント部の断面図である。【００１５】  図１に示すように、本釣り用ルアーケースはルアー４の釣り針５を引っ掛けるための引っ掛けポイント６を適宜間隔に設けた引っ掛けボード２と中仕切り３をケース本体１に装着したものである。【００１６】  図１に示すように、引っ掛けボード２は複数の引っ掛けポイント６を適宜間隔に設けていて、ルアー４の釣り針５を引っ掛ける位置を示している。また、引っ掛けポイント６は２列に設けたものとしている。２列に設けることとすれば収納力及び、収納バリエーションが増すものとなり好ましい。【００１７】  前記引っ掛けボード２及び中仕切り３は、釣り針５を引っ掛け易くするため柔軟性を有した合成樹脂などで作成したものが好ましい。【００１８】  前記引っ掛けポイント６はルアー４の釣り針５を引っ掛け易くするため、図１、図２に示したように穴状のものが好ましく、穴の幅は釣り針５の太さよりも広い幅にすることが好ましい。【００１９】  ケース本体１は、合成樹脂、金属、皮、繊維などの素材で作成したものとしている。【００２０】  前記ルアー４は、プラグ、ジグ、スプーン、スピナーなど各種のものがあり、この発明の釣り用ルアーケースに収納されるものとして特に限定されることはないが、スプーンが好ましい。【００２１】  図３、図４は本発明の第２の実施の形態に係わり、図３はその斜視図、図４は図３記載の波状引っ掛けボードのフックポイント部の断面図である。【００２２】  図３に示すように第２の実施の形態に係わる釣り用ルアーケースではケース本体１に波状引っ掛けボード７を装着している。【００２３】  また、図４に示すように波状引っ掛けボード７の傾斜部に複数の穴状引っ掛けポイント６を設けることで、穴開口部の上部にスペースが設けられ容易に釣り針５を引っ掛けることが可能となる。【００２４】  以上、本発明の実施の形態を説明したが、本発明の範囲はこれに限定されるものではない。例えば、引っ掛けポイントの形状は穴状だけに限らず、凹凸、溝などの形状にすることも可能であり、設置数や設置位置も状況に応じて適宜選択されるものである。
【図面の簡単な説明】
【００２５】
【図１】本発明の第１の実施の形態に係わる釣り用ルアーケースの斜視図である。
【図２】図１記載の引っ掛けボードのフックポイント部の断面図である。
【図３】本発明の第２の実施の形態に係わる釣り用ルアーケースの斜視図である。
【図４】図３記載の波状引っ掛けボードのフックポイント部の断面図である。
【図５】従来技術を示す斜視図である。
【符号の説明】
【００２６】１  ケース本体
２  引っ掛けボード
３  中仕切り
４  ルアー
５  釣り針
６  引っ掛けポイント
７  波状引っ掛けボード
【図１】
2006141386.tif 000003
【図２】
2006141386.tif 000004
【図３】
2006141386.tif 000005
【図４】
2006141386.tif 000006
【図５】
2006141386.tif 000007
(57)【要約】【目的】  染色によらず熱湯に浸けたり煮炊きしても消える事無く、繊細な文字柄を立体的に表示する事が出来る昆布を提供する【解決手段】  乾燥昆布にレーザー光線を照射し、照射部分と不照射部分の液体中の膨張格差を利用し照射部分を剥離除去し、凹凸の表現によって立体的文字柄を表現する事で熱湯に影響されない昆布を特徴とする。【選択図】  図１
2006141382.tif 000002
【特許請求の範囲】
【請求項１】
乾燥板昆布の不要部分にレーザー光線を照射し、組織を酸化硬質化させた後、液に浸け昆布の膨張力を利用して照射部分を剥離除去し昆布に刻印様の立体的文字絵柄を表現する方法
【請求項２】
表面を刻印様の立体的表現によって文字絵柄が表現された昆布
【発明の詳細な説明】
【技術分野】      本発明は昆布に文字絵柄を表現するための方法に関する。
【背景技術】
【００１】昆布の表面に文字絵柄を表現する技術は、切り抜き、或いは表面を削り取り表面の褐色部と中身の白色部による色の差で、文字柄を表示する方法（特許文献１参照）、張り付け（特許文献２参照）等が用いられていた。これらの方法では繊細なデザインや立体的な文字柄が表現出来ず、他の食品と比べても見劣りした表現の製品で市場性も限られている状態で有った。
【特許文献１】特開平１−３４２６９号
【特許文献２】特開２０００−３１６４９０号
【発明の開示】
【発明が解決しようとする課題】
【００２】現在では、チョコレート、ビスケット、煎餅等の菓子類に見られる様に文字やキャラクター等の文字絵柄を配したものが食用に供されている。昆布製品においても今後はより見栄えの良い商品の開発は重要な事である。表現手段は食品のほとんどが型によるものか、可食素材又は食用インクによる印刷類似技法で有る。この技法は全て昆布には不向きで、加工課程で湯や水を使用する事の多い昆布製品では商品作りは困難で有った。他の食品同様見た目の良い繊細で立体的なデザインを表現し、かつ表示が熱湯にも耐える事の出来る製品を提供する事は重要な課題で有った。
【課題を解決する手段】
【００３】乾燥板昆布にコンピューター制御でレーザー光線を使って照射を施し組織を酸化硬質化させた後、湯、食塩水等の液体に浸け、昆布を膨張させ、照射部分と不照射部分との膨張差を利用した捲れを起こさせ、照射部分の組織を自然に剥離除去し凹部分として利用し、残った不照射部分を表現部分凸とし、文字柄を表示させることで凹凸のある刻印様の立体的な文字絵柄を表現させる事を特徴とし、煮炊きにも表示が耐えるように完成された製品を提供する。
【発明の効果】
【００４】一般に昆布を食する場合乾燥昆布をそのまま口にする事はあまり無い、祝事、正月のお茶に入れる結び昆布の様に、湯に通して柔らかくして食すか、煮る事がほとんどで有る、本発明は刻印様の立体的仕上がりのため、折ることや煮炊きにも耐え文字絵柄が消える事無く表示される事を特徴としている。
【００５】立体的な表現が出来ると同時に、レーザーの遮光部分の直径が７０ミクロンと極めて細く従来にない繊細なデザインの表現を可能にしたことに有る。
【発明を実施するための最良の形態】
【実施例１】
【００６】占い昆布茶。実施例図を参考に説明する、乾燥板昆布に文字柄以外の不要部分凹に当たる部分、（図（１）（２）の照射部分（１））に光源部分直径０．７ｍｍのレーザー光線を使って横に直線移動しながら、照射部分（１）は点灯照射、不照射部分（２）は避けて消灯、を繰り返し、一行目を終えた後、０．５ｍｍ下に移動し再び点灯消灯を繰り返し照射部分（１）を塗りつぶす要領で文字柄を描き照射部分（１）、の組織を酸化硬質化させる。【００７】照射の終えた昆布、図（５）を酢に湿した布上に数十分置く等を行い、柔らかくしたものを任意正方形に切り対角線Ａ１．Ａ２に沿って内側に折り曲げ図（６）の様にＢ１をＢ２と合わせ、次にＡ１とＡ２を合わせて折り、直角三角形の形態を保ったままの、図（７）の形状、で圧して乾燥させた製品を仕上げる。【００８】上記製品、図面（７）を粉末の昆布茶等と共に湯飲みに投入し、熱湯を注ぎ待つこと１．２分。昆布の習性で図（３）の様に面積は５０％程度、厚みも２００〜３００％に膨張して来る、レーザーの照射部分（１）は組織が酸化硬質化されているため膨張が出来ず、表面が剥がれ落ちて剥離し不照射部分（２）が残り、立体文字が現れる。三角に折り曲げ乾燥させた事がこの製品の新規性で、開くまで中の文字柄部分は見ることが出来ないのは当然として、経横の繊維の膨張比の差で湯の中で開く時に裏返る事無く、文字柄を表示した表面が必ず上向けとして図（８）様に茶碗に沈むのを特徴とし、食べられる占い、おみくじの新しい製品としての効果を発揮する。
【実施例２】
【００９】デザイン佃煮。婚礼、家紋、キャラクター表示の昆布佃煮、上記占い昆布の製造過程同様、少し厚めの昆布を使用し壽や家紋のデザインを配し除きたい部分に少し時間をかけてレーザーを照射する、その後熱湯に浸け置き温度が水に成るくらいの時間放置すると図（３）の示すとおり、照射部分（１）が剥離され凹凸の鮮明なデザインが表現された図（４）の板状の昆布に仕上がる、これを醤油、砂糖、みりん、酒等で従来の佃煮の様に煮込むと壽や家紋又はキャラクターのデザインを立体的に表現した従来には無かった新しい昆布の佃煮製品が完成する、又、砂糖液で炊いて菓子としても利用する事が可能である。
【図面の簡単な説明】
【図１】  乾燥状態で照射時の断面図で有る
【図２】  乾燥状態で照射作業時の図で有る
【図３】  湯に浸けて膨張状態時の断面図で有る
【図４】  剥離の終えた状態の表面図で有る
【図５】  照射の終えた時点の表面図で有る
【図６】  一度目の折りの裏面図で有る
【図７】  ２度目折りの裏面図で有る
【図８】  湯飲みで開いた時の完成図で有る
【図１】
2006141382.tif 000003
【図３】
2006141382.tif 000004
【図４】
2006141382.tif 000005
【図５】
2006141382.tif 000006
【図６】
2006141382.tif 000007
【図７】
2006141382.tif 000008
【図８】
2006141382.tif 000009
【手続補正書】
【提出日】平成17年1月19日(2005.1.19)
【手続補正１】
【補正対象書類名】図面
【補正対象項目名】全図
【補正方法】変更
【補正の内容】
【図１】
2006141382.tif 000010
【図２】
2006141382.tif 000011
【図３】
2006141382.tif 000012
【図４】
2006141382.tif 000013
【図５】
2006141382.tif 000014
【図６】
2006141382.tif 000015
【図７】
2006141382.tif 000016
【図８】
2006141382.tif 000017